(57)【要約】【課題】本発明は、その内部に物を置くことが可能な簡易な構成のスピーカ装置を実現できるようにする。【解決手段】一端側が開放された筒型形状でなるキャビネットと、キャビネットの他端側に配置され、音声信号に基づいて駆動される発音体とを具え、キャビネットが設置されたときに初めて当該キャビネットと当該設置面とによって密閉空間が形成されることにより、底面が不要となって構成を簡素化できると共に、キャビネットの内部に物を置くことが容易となる。【選択図】図１０
2011223397.tif 000002
【特許請求の範囲】
【請求項１】
一端側が開放された筒型形状でなる筐体と、
上記筐体の他端側に配置され、音声信号に基づいて駆動される発音体と
を具え、
上記筐体が設置されたときに当該筐体と当該設置面とによって密閉空間が形成され、キャビネットとして機能する
スピーカ装置。
【請求項２】
上記筐体は、透明部材によって形成されている
請求項１に記載のスピーカ装置。
【請求項３】
上記筐体は、当該筐体が設置されたときに当接する端部に緩衝材が装着されている
請求項２に記載のスピーカ装置。
【請求項４】
上記筐体は、上記他端側に配置された上記発音体を隠蔽するための本体部が当該他端側に設けられている
請求項３に記載のスピーカ装置。
【請求項５】
上記本体部には、上記発音体以外にも電源バッテリおよびアンプが収納され、アクティブスピーカとして機能する
請求項４に記載のスピーカ装置。
【請求項６】
上記本体部には、光源が取り付けられている
請求項４に記載のスピーカ装置。
【請求項７】
上記本体部の上記光源は、上記筐体が設置されたときの上記設置面の内側を照射する
請求項６に記載のスピーカ装置。
【請求項８】
上記スピーカ装置は、
上記筐体の端面に対して直交する方向の振動成分により当該筐体を加振するため、当該筐体に変位出力を伝達する伝達部が上記端面と直接的又は間接的に当接された状態で配設され、音声信号に基づいて上記伝達部を駆動するアクチュエータと
を具え、
上記筐体は、上記アクチュエータにより上記伝達部を介して加振されたことにより、その全体が振動板として振動する
請求項５に記載のスピーカ装置。
【発明の詳細な説明】
【技術分野】
【０００１】
本発明は、スピーカ装置に関し、キャビネットの内部に物を置くことが可能なスピーカ装置に適用して好適なものである。
【背景技術】
【０００２】
従来、立方体形状の透明ケースに鑑賞物を収納し、当該透明ケースの一面にスピーカ本体が固着されたディスプレイ的な要素を加えたスピーカが提案されている（例えば特許文献１参照）。
【先行技術文献】
【特許文献】
【０００３】
【特許文献１】実用新案登録第3105852号公報
【発明の概要】
【発明が解決しようとする課題】
【０００４】
ところで、上述した特許文献１に記載のスピーカにおいては、開閉扉を介する構造であるため鑑賞物の出し入れに関して自由度が少なく、透明ケースを特殊な形状で構成しようとした場合、底面が存在しているため加工・成形等が困難であるという問題があった。
【０００５】
また特許文献１に記載のスピーカにおいては、透明ケースを用いているが、スピーカユニット自体が透明ではないため、完全に透明とは言えず、当該スピーカユニットに遮られて鑑賞物が見え難いという問題があった。
【０００６】
本発明は以上の点を考慮してなされたもので、その内部に物を置くことが可能な簡易な構成のスピーカ装置を提案しようとするものである。
【課題を解決するための手段】
【０００７】
かかる課題を解決するため本発明においては、一端側が開放された筒型形状でなる筐体と、筐体の他端側に配置され、音声信号に基づいて駆動される発音体とを具え、筐体が設置されたときに当該筐体と当該設置面とによって密閉空間が形成され、キャビネットとして機能することにより、底面が不要となって構成を簡素化できると共に、筐体の内部に物を置くことが容易となる。
【発明の効果】
【０００８】
本発明によれば、一端側が開放された筒型形状でなる筐体と、筐体の他端側に配置され、音声信号に基づいて駆動される発音体とを具え、筐体が設置されたときに当該筐体と当該設置面とによって密閉空間が形成され、キャビネットとして機能することにより、底面が不要となって構成を簡素化できると共に、筐体の内部に物を置くことが容易となり、かくしてその内部に物を置くことが可能な簡易な構成のスピーカ装置を実現することができる。
【図面の簡単な説明】
【０００９】
【図１】スピーカ装置の全体外観構成（１）を示す略線的斜視図である。
【図２】スピーカ装置の全体外観構成（２）を示す略線的斜視図である。
【図３】スピーカ装置の全体外観構成（３）を示す略線的斜視図である。
【図４】スピーカ装置の断面構成を示す略線的断面図である。
【図５】本体部における下部ボディの下面構成を示す略線的下面図である。
【図６】スピーカ装置の外観構成を示す上面図、下面図及び側面図である。
【図７】透明筐体の端部構造を示す略線図である。
【図８】駆動系の構成（１）を示す略線的ブロック図である。
【図９】駆動系の構成（２）を示す略線的ブロック図である。
【図１０】透明筐体の内部に物を展示した状態の説明に供する略線的斜視図である。
【図１１】スピーカユニットのみの場合の音像定位を示す略線的斜視図である。
【図１２】透明筐体を振動板兼キャビネットとして用いた場合の音像定位を示す略線的斜視図である。
【図１３】光がキャビネットの内側を伝播して設置面を照射する様子を示す略線的断面図である。
【図１４】照明の点灯状態を示す略線的斜視図である。
【発明を実施するための形態】
【００１０】
以下、発明を実施するための形態について説明する。なお、説明は以下の順序で行う。
１．実施の形態
２．他の実施の形態
【００１１】
＜１．実施の形態＞
［１−１．スピーカ装置の構造］
図１乃至図５に示すように、スピーカ装置１は、全体的に略円筒形状でなり、裾に行くに連れて広げられた形状の透明筐体２と、当該透明筐体２の上方に載せられた所定の厚みを持つ略楕円形状でなる本体部３とによって構成されている。
【００１２】
透明筐体２（図３）は、その上方の一端部が本体部３と同じ略楕円形状で開放されている一方、その下方の他端部が上方とは異なり略雫形状で開放されており、上方から下方へ向かう外面（図１〜図３）が滑らかな曲線により造形されている。
【００１３】
また透明筐体２は、全体として筒型振動板を構成し、例えば透光性または導光性のある透明なアクリル樹脂により厚さ５ｍｍで形成されており、その内部を外側からユーザが目視確認し得るようになされている。
【００１４】
この透明筐体２は、下方の他端部が開放された形状を有しているため、床や壁等の設置対象物に対して当該スピーカ装置１が設置されたとき、当該透明筐体２の内部空間が初めて密閉される密閉空間を形成する構造となっている。
【００１５】
本体部３（図４）は、例えば材料として真鍮が用いられており、薄板状のプレートでなる上部ボディ３Ａと、スピーカユニット４を収納するための収納穴３Ｃが形成された下部ボディ３Ｂとが貼り合わせられることにより構成される。
【００１６】
本体部３は、下部ボディ３Ｂの収納穴３Ｃに対してスピーカユニット４が上方に前面を向けた状態で収納固定され、上部ボディ３Ａの上面に設けられたメッシュ状の細かい貫通孔３Ｈ（図１および図４）を介して当該スピーカユニット４の前面から出力される低音域の音波（正相）を直接放射するようになされている。
【００１７】
なお本体部３の下部ボディ３Ｂには、図示しないが電源バッテリおよびアンプが収納され、スピーカユニット４をアクティブスピーカとして機能させるようになされている。但し、必ずしもアンプが収納されていなければならない訳ではなく、アンプの内蔵されていないパッシブスピーカとしてのみ機能するようにしても良い。
【００１８】
また本体部３の下部ボディ３Ｂ（図４および図５）は、収納穴３Ｃの周囲を囲むような形で合計６個のＬＥＤ電球６が取り付けられている。因みに、ＬＥＤ電球６ではなく、単にＬＥＤであっても良い。また下部ボディ３Ｂ（図４）には、当該ＬＥＤ電球６を覆うべく、下部ボディ３Ｂの収納穴３Ｃに対応した突出部分３Ｄに対してドーナッツ形状の拡散板７が取り付けられている。
【００１９】
これによりスピーカ装置１は、ＬＥＤ電球６からの照射光を拡散板７によって拡散し、拡散光として透明筐体２の内側を通過させた後、透明筐体２の開放端側を照射するようになされている。
【００２０】
また本体部３の下部ボディ３Ｂ（図４）には、その内部に圧電アクチュエータ５が例えば合計４個だけ内蔵されており、透明筐体２の上方端部の端面に当接した状態で、かつ当該端面に等間隔で取り付けられている。
【００２１】
なお、圧電アクチュエータ５は電圧駆動型であり、当該圧電アクチュエータ５の駆動ロッド（図示せず）による変位方向は、この端面に対して直交する方向となる。
【００２２】
因みに、本実施の形態においては、４個の圧電アクチュエータ５を用いるようにしているが、これに限るものではなく、例えば電流駆動型の磁歪アクチュエータや、その他、動電アクチュエータ等を用いることもできる。
【００２３】
この場合スピーカ装置１では、電圧駆動型の圧電アクチュエータ５を用いているため、電流駆動型に比べて消費電流が少なくなり、その結果、発熱量が少なく、かつバッテリの使用時間が増えるという利点を有することになる。
【００２４】
この場合、圧電アクチュエータ５による変位方向は、透明筐体２の上方から下方へ向かう方向（面方向）でもある。スピーカ装置１では、圧電アクチュエータ５をこのような配置状態とすることにより、透明筐体２の上端部側の端面から、この端面に直交した方向の振動成分をもって当該透明筐体２を加振し得るようになされている。
【００２５】
このとき透明筐体２は、上端部側の端面が縦波によって励起され、振動弾性波が当該透明筐体２の上方から下方へ向かう方向に伝播することにより縦波と横波とが混在した混在波となって当該透明筐体２へ放射され、当該透明筐体２の高さ方向の全体に渡って均一な音像を形成するようになされている。
【００２６】
かくして透明筐体２は、可聴周波数帯域の高域側を受け持つスピーカを構成しツィータとして機能する一方、スピーカユニット４が可聴周波数帯域の低域側を受け持つスピーカを構成しウーファとして機能するようになされている。
【００２７】
実際上、図６（Ａ）〜（Ｄ）に示すように、スピーカ装置１の透明筐体２（図６（Ｂ））は、その下方に設けられた開放部における長手方向の長さが３１８．９ｍｍ、短手方向の長さが２４６．５ｍｍとなっている。
【００２８】
また透明筐体２（図６（Ｂ））は、本体部３が取り付けられる上方から下方にかけて、一方の辺が下辺に対して垂直とされているのに対し、他方の辺が下辺に対して所定角度の傾斜とされている。
【００２９】
さらに透明筐体２（図６（Ａ））は、雫形状の大きな膨らみ部分の直径がφ２１１．３ｍｍとなっており、他方の辺が下辺に対して所定角度の傾斜となっていることと併せて、裾に行くに連れて丸く膨らみ全体として広げられた形状を有するようになされている。
【００３０】
またスピーカ装置１の本体部３は、短手方向の長さが１０４．４ｍｍ、その厚さが２５．５ｍｍとなっており、当該本体部３の下方から拡散板７が僅かに突出し、当該本体部３に対して音声信号を供給するためのコード３Ｆが接続されている。
【００３１】
ところでスピーカ装置１の透明筐体２は、図７に示すように、その開放された下端部の周端上にゴム系の緩衝材１２が接着もしくは嵌め込まれている。これによりスピーカ装置１は、床や壁等の設置対象物に対して当該スピーカ装置１が設置された状態で、透明筐体２が筒型振動板として動作した際、当該透明筐体２の振動が設置面に伝達することを緩衝材１２により防止し、ビビリ音が発生することを未然に回避するようになされている。
【００３２】
なお、この場合のスピーカ装置１では、真鍮を材料とした比較的重たい本体部３（例えば５００ｇ〜１ｋｇ）が透明筐体２の上端部に載せられた状態で取り付けられているため、設置対象物に設置された透明筐体２を上から押さえ付ける力が強くなる。
【００３３】
ここで透明筐体２の下端部の周端上にはゴム系の緩衝材１２が取り付けられているため、透明筐体２と設置面との設置状態が強固になる。この結果、スピーカ装置１は、透明筐体２が筒型振動板として動作した際でも、透明筐体２による密閉空間の密閉度を維持し得るようになされている。
【００３４】
このときスピーカ装置１は、スピーカユニット４の背面から出力される逆相の音波が、透明筐体２の密閉空間に閉じ込めて外部へ放射されることがないので、当該逆相の音波による悪影響が生じることを未然に防止し得るようになされている。
【００３５】
因みに透明筐体２は、透光性または導光性のある透明なアクリル樹脂によって形成されているだけでなく、蛍光塗料が含まれていても良い。
【００３６】
この蛍光塗料としては、例えば、ＢＡＳＦ社のプラスチック用蛍光塗料ＬｕｍｏｇｅｎＦ（登録商標）Ｄｙｅｓを用いることができる。
【００３７】
実際上、透明筐体２では、その材料であるアクリル樹脂に、その質量の０．０２％程度の蛍光塗料を含ませることにより、当該透明筐体２が全表面で集光し、エッジ（端面）で強い蛍光を発する。
【００３８】
このＬｕｍｏｇｅｎＦ（登録商標）Ｄｙｅｓとしては、Ｏｒａｎｇｅ２４０（商品名）、Ｙｅｌｌｏｗ０８３（商品名）、Ｒｅｄ３０５（商品名）等が存在する。
【００３９】
例えば、Ｏｒａｎｇｅ２４０（商品名）を含ませた場合、透明筐体２全体が透明なオレンジ色に見えると共に、その上端面及び下端面がオレンジ色に強く光る。
【００４０】
また、透明筐体２では、その外面にキズを付けて文字を描くと、文字部分が強く発光する。この文字部分は、ＬＥＤ電球６を点灯させなくても、外部の蛍光灯や太陽光等によって発光する。
【００４１】
従って、スピーカ装置１では、ＬＥＤ電球６の消灯時でも、透明筐体２に対して外部の光が与えられる使用環境下では当該透明筐体２に描かれた文字部分をユーザに対して容易に目視確認させ得るようになされている。
【００４２】
このＬｕｍｏｇｅｎＦ（登録商標）Ｄｙｅｓは、耐光性（蛍光残存率）にも優れ、Ｏｒａｎｇｅ２４０（商品名）を含ませた透明筐体２では、曝露前の蛍光強度を１００とすると、一定条件下で２０００時間曝露した後の蛍光強度は８５である。
【００４３】
［１−２．スピーカ装置の駆動系の構成］
次に、スピーカ装置１の駆動系について２通り説明する。
【００４４】
図８に示すようにスピーカ装置１においては、例えばステレオ音声信号を構成する左音声信号ＡＬおよび右音声信号ＡＲを加算器１２１に入力し、当該加算器１２１によって左音声信号ＡＬおよび右音声信号ＡＲを合成することによりモノラル音声信号ＳＡを生成した後、これをハイパスフィルタ１２２及びローパスフィルタ１２３へ送出する。
【００４５】
ハイパスフィルタ１２２は、モノラル音声信号ＳＡから高域成分ＳＡＨだけを抽出し、これをＤＳＰ(Digital Signal Processor)でなる４個の信号処理部１２４Ａ〜１２４Ｄへそれぞれ送出する。
【００４６】
４個の信号処理部１２４Ａ〜１２４Ｄは、それぞれ高域成分ＳＡＨに対してレベル、遅延時間、周波数特性等の調整する処理（以下、これを音場制御処理）を施すと共に、４個の圧電アクチュエータ５の出力特性に関する信号補正処理を施し、その結果得られる高域成分信号ＳＡＨ１〜ＳＡＨ４を４個のアンプ１２５Ａ〜１２５Ｄへそれぞれ送出する。
【００４７】
アンプ１２５Ａ〜１２５Ｄは、高域成分信号ＳＡＨ１〜ＳＡＨ４を所定レベルに増幅した後、これらを４個の圧電アクチュエータ５（５Ａ〜５Ｄ）に駆動信号として供給するようになされている。
【００４８】
これにより４個の圧電アクチュエータ５（５Ａ〜５Ｄ）は、それぞれ独立した高域成分信号ＳＡＨ１〜ＳＡＨ４によって駆動ロッド（図示せず）が駆動され、透明筐体を加振するようになされている。
【００４９】
ローパスフィルタ１２３は、モノラル音声信号ＳＡから低域成分ＳＡＬを抽出し、これをＤＳＰでなる信号処理部１２７へ送出する。信号処理部１２７は、低域成分ＳＡＬに対してレベル、遅延時間、周波数特性等の調整する処理（以下、これを音場制御処理）を施し、アンプ１２８を介して所定レベルに増幅した後に、これを駆動信号としてスピーカユニット４に送出する。これによりスピーカユニット４は、低域成分ＳＡＬによって駆動されることになる。
【００５０】
このようにスピーカ装置１は、スピーカユニット４を低域成分ＳＡＬによって駆動することによりウーファとして機能させることに加えて、透明筐体２を高域成分信号ＳＡＨ１〜ＳＡＨ４によって加振することによりツィータとして機能させることができるので、スピーカ装置１全体としての再生周波数帯域を広げることができる。
【００５１】
なおスピーカ装置１は、４個の圧電アクチュエータ５に対してそれぞれ独立した高域成分信号ＳＡＨ１〜ＳＡＨ４を駆動信号として用いることにより透明筐体２を加振することができるので、当該透明筐体２の外側に音像を拡げ得るようになされている。
【００５２】
一方、図９に示すようにスピーカ装置１においては、大きく分けてＤＳＰブロック２０１と、アンプブロック２０２と、アンプ２０３とによって構成されている。このＤＳＰブロック２０１は、圧電アクチュエータ５側の信号補正及び音場制御部２０１Ａと、スピーカユニット４側の信号補正及び音場制御部２０１Ｂとを有している。
【００５３】
圧電アクチュエータ５側の信号補正及び音場制御部２０１Ａは、４個の圧電アクチュエータ５（５Ａ〜５Ｄ）にそれぞれ対応して、４個の信号処理部２１１（２１１Ａ〜２１１Ｄ）及び４個のハイパスフィルタ２１２（２１２Ａ〜２１２Ｄ）を具えている。
【００５４】
さらに信号補正及び音場制御部２０１Ａは、４個の信号処理部２１１にそれぞれステレオ音声信号を構成する左音声信号ＡＬおよび右音声信号ＡＲを減衰して入力するための８個のアッテネータ（２１０Ａ１、２１０Ａ２、２１０Ｂ１、２１０Ｂ２、……、２１０Ｄ１、２１０Ｄ２）を具えている。
【００５５】
個々の信号処理部２１１（２１１Ａ〜２１１Ｄ）は、それぞれ入力される左音声信号ＡＬおよび右音声信号ＡＲの信号レベル、遅延時間、周波数特性等の調整、さらにはそれらの左音声信号ＡＬおよび右音声信号ＡＲに対する混合処理（音場制御処理）を行うと共に、圧電アクチュエータ５（５Ａ〜５Ｄ）の出力特性に関する信号補正処理を行う。
【００５６】
個々のハイパスフィルタ２１２（２１２Ａ〜２１２Ｄ）は、それぞれ、信号処理部２１１（２１１Ａ〜２１１Ｄ）から供給された音声信号の高域成分を抽出し、これをアンプブロック２０２の各アンプ２０２Ａ〜２０２Ｄへ送出する。
【００５７】
この場合、４個の圧電アクチュエータ５（５Ａ〜５Ｄ）には、ＤＳＰブロック２０１の信号補正及び音場制御部２０１Ａによりそれぞれ独立して音場制御処理および信号補正処理を施した結果得られる音声信号の高域成分がアンプブロック２０２により増幅された後に供給される。このように４個の圧電アクチュエータ５（５Ａ〜５Ｄ）が音場制御処理の施された高域成分によって駆動されることにより、高域の音声出力による音の広がり感を高めることができる。
【００５８】
一方、スピーカユニット４側の信号補正及び音場制御部２０１Ｂは、スピーカユニット４に対応して、１個の信号処理部２２１及び１個のローパスフィルタ２２２を具え、さらに信号処理部２２１にステレオ音声信号を構成する左音声信号ＡＬおよび右音声信号ＡＲを減衰して入力するための２個のアッテネータ２２０Ａ１及び２２０Ａ２を具えている。
【００５９】
信号処理部２２１は、左音声信号ＡＬおよび右音声信号ＡＲの信号レベル、遅延時間、周波数特性等の調整、さらにはそれらの左音声信号ＡＬおよび右音声信号ＡＲに対する混合処理（音場制御処理）を行うと共に、共鳴管特性に関する信号補正処理を行う。ローパスフィルタ２２２は、信号処理部２２１から供給された音声信号の低域成分を抽出し、これをアンプ２０３へ送出する。
【００６０】
この場合、スピーカユニット４には、ＤＳＰブロック２０１の信号補正及び音場制御部２０１Ｂにより音場制御処理及び信号補正処理を施すことにより得られた音声信号の低域成分がアンプ２０３により増幅された後に供給される。このようにスピーカユニット４が音場制御処理の施された低域成分によって駆動されることにより、低域の音声出力による音の広がり感を高めることができる。
【００６１】
なお、信号補正及び音場制御部２０１Ａの信号処理部２１１（２１１Ａ〜２１１Ｄ）とハイパスフィルタ２１２との順番は逆でもよく、同様に、信号補正及び音場制御部２０１Ｂの信号処理部２２１とローパスフィルタ２２２との順番も逆でもよい。
【００６２】
［１−３．スピーカ装置の動作］
続いて、このスピーカ装置１（図１乃至図４）の動作を説明する。
【００６３】
スピーカ装置１では、本体部３に設けられた４個の圧電アクチュエータ５（５Ａ〜５Ｄ）が左音声信号ＡＬおよび右音声信号ＡＲにより駆動され、透明筐体２の上端部側の端面からこの端面に直交した方向の振動成分により当該透明筐体２を加振する。
【００６４】
このとき、透明筐体２の上端部側の端面は縦波で励振され、当該透明筐体２を弾性波（振動）が上方から下方へ向かう方向（面方向）へ伝播していく。そして、この弾性波が透明筐体２を伝播する際に縦波、横波、縦波、……、のモード変換を繰り返し、縦波と横波との混在波となり、横波によって透明筐体２の面内方向（面に垂直な方向）の振動が励振される。
【００６５】
これによりスピーカ装置１は、透明筐体２から音波を放射することになる。すなわちスピーカ装置１は、この透明筐体２の外面から高音域の音声出力を得ることができる。
【００６６】
なお、このときスピーカ装置１は、透明筐体２の下方が設置対象物との設置面によって塞がれているため、当該透明筐体２の内側に発生した逆相の音波については、透明筐体２の内部に閉じ込められたままとなり外部に放射されずに済み、良好な音響特性を得ることができる。
【００６７】
［１−４．スピーカ装置における使用状態］
このスピーカ装置１においては、設置対象物に対して設置されていない状態では透明筐体２の下方が開放されているため、このままでは透明筐体２がキャビネットの機能を実現することができない。
【００６８】
しかしながらスピーカ装置１では、設置対象物の設置面を利用して透明筐体２の密閉空間を生成することができるので、透明筐体２の底面を必要としない簡素な構成でありながら、透明筐体２がキャビネットとしての機能を実現することができる。
【００６９】
このときスピーカ装置１は、透明筐体２が透明であり、その下方が開放されている構造であるため、図１０に示すように、透明筐体２と設置対象物Ｚ１の設置面Ｚ１Ｓとによって形成される密閉空間にユーザ所望の物ＯＪ１を容易に展示することができ、かつ物ＯＪ１を容易に出し入れすることもできる。
【００７０】
ところで図１１に示すように、スピーカ装置１は、透明筐体２を筒型振動板として用いずにスピーカユニット４だけから低音域の音声を出力する場合、当該スピーカユニット４が収納されている本体部３に音像ＯＺ１が定位することになる。
【００７１】
しかしながら図１２に示すように、スピーカ装置１は、透明筐体２を筒型振動板として用いることにより高音域のツィータとして機能させると共にスピーカユニット４を低音域のウーファとして機能させる場合、ツィータが加わることからスピーカとしての再生周波数帯域が広がると同時に、当該透明筐体２に音像ＯＺ２を定位させることができる。
【００７２】
そうすると、スピーカ装置１では、例えば物ＯＪ１として例えば人形等を展示した場合、高音域の人形の声を透明筐体２から出力したとき、あたかも人形の口元付近から聞こえてくるような自然な印象をユーザに与えることができる。
【００７３】
因みに、スピーカ装置１では、スピーカユニット４に対して供給する低域成分ＳＡＬを遅延回路（図示せず）によって数ミリ秒程度の遅延時間を持たせることができる。これによりスピーカ装置１では、透明筐体２から高音域の音声を出力する時点よりも、スピーカユニット４から低音域の音声を出力する時点が遅くなるので、音像が高音域に引っ張られるという人間の聴覚上の特徴から、ユーザにとっては高音域の音声が出力される透明筐体２の部分に音像ＯＺ２を感じ易くすることができる。
【００７４】
なおスピーカ装置１は、透明筐体２を筒型振動板として用いることにより、当該透明筐体２の密閉空間に展示した物ＯＪ１に対する展示内容の案内音声を出力したり、展示物のＢＧＭ(Background Music)として出力するといった利用形態を実現することもできる。
【００７５】
［１−５．スピーカ装置における照明効果］
このスピーカ装置１では、本体部３の突出部分３Ｄの周囲を囲むような形で取り付けられた合計６個のＬＥＤ電球６からの照射光を拡散板７によって拡散し、拡散光として透明筐体２の内側を通過させる。
【００７６】
このときスピーカ装置１は、図１３に示すように、拡散板７によって拡散された拡散光が透明筐体２の内側面で反射した後、設置対象物Ｚ１の設置面Ｚ１Ｓに到達し、当該設置面Ｚ１Ｓを照射するようになされている。
【００７７】
ここで透明筐体２は、上述したように、透光性または導光性のアクリル樹脂によって形成されているため、拡散板７によって拡散された拡散光を当該透明筐体２の内側面で反射させた後、効率良く設置対象物Ｚ１の設置面Ｚ１Ｓに到達させるようになされている。
【００７８】
このとき透明筐体２は、開放された下端部の周端上にゴム系の緩衝材１２が取り付けられているため、設置面Ｚ１Ｓに到達した拡散光が当該透明筐体２の開放端から漏れることを防止することができる。
【００７９】
これによりスピーカ装置１は、図１４に示すように当該設置面Ｚ１Ｓがあたかも浮かび上がったかのような照明状態を形成し得るようになされている。
【００８０】
実際上、スピーカ装置１では、透明筐体２の内側の設置面Ｚ１Ｓが照射された結果、当該設置面Ｚ１Ｓが展示物である物ＯＪ１に対するステージであるかのような視覚効果をもたらし、物ＯＪ１の展示物を一段と引き立たせることができる。
【００８１】
［１−６．動作及び効果］
以上の構成において、スピーカ装置１は、一端側が開放された筒型形状の透明筐体２が設置対象物Ｚ１に対して設置されたとき初めて当該透明筐体２と当該設置対象物Ｚ１の設置面Ｚ１Ｓとによって密閉空間が形成され、透明筐体２がスピーカユニット４に対するキャビネットとして機能するようになる。
【００８２】
このためスピーカ装置１は、透明筐体２の底面が設けられていない簡素な構成でありながら、設置対象物Ｚ１に設置されれば必ず密閉空間を形成してスピーカユニット４に対するキャビネットとして機能することができるので、スピーカとしての機能を損なうことなく、透明筐体２の内部に物ＯＪ１を容易に展示することができる。
【００８３】
またスピーカ装置１は、一端側が開放された筒型形状の透明筐体２が設置対象物Ｚ１に対して設置されたとき初めてキャビネットとして機能する構造であるため、底面を必要としない簡素な構成でありながら、床であろうと壁であろうと天井であろうと設置面さえあれば設置場所を問わずに済む。
【００８４】
さらにスピーカ装置１は、真鍮を材料とした比較的重たい本体部３により設置対象物Ｚ１に設置された透明筐体２を上から強く押さえ付けることにより、透明筐体２による密閉空間を確実に維持しながら、透明筐体２の開放端に取り付けられた緩衝材１２により、当該透明筐体２の振動が設置面Ｚ１Ｓに伝達することを防止し、良好な音響特性を得ることができる。
【００８５】
さらにスピーカ装置１は、本体部３の下部ボディ３Ｂに設けられたＬＥＤ電球６および拡散板７を介して得られる拡散光により設置対象物Ｚ１の設置面Ｚ１Ｓを照射することにより、当該設置面Ｚ１Ｓがあたかもステージであるかのように浮かび上がらせ、展示物を一段と引き立たせることができる。
【００８６】
このときスピーカ装置１は、ツィータとして機能する透明筐体２側に音像を定位させることができるので、結果的に展示物の近くに音像を定位させることになって、展示物と出力音声との一体感を生じさせることができる。
【００８７】
しかもスピーカ装置１は、外部からスピーカユニット４が見える構造ではないため、あくまで展示物を飾るショーウィンドウであるかのような印象をユーザに与え、インテリアとしての優れたデザイン性をも保持することができる。
【００８８】
以上の構成によれば、スピーカ装置１は、一端側が開放された透明筐体２が設置されたとき初めてキャビネットとして機能するようになされているため、スピーカとしての機能を実現しながら展示物を透明筐体２の内部に置くことができる。
【００８９】
またスピーカ装置１は、透明筐体２が設置対象物Ｚ１に対して設置されたとき初めてスピーカユニット４に対するキャビネットとして機能すると共に、当該透明筐体２それ自体がツィータとして機能するので、デザイン性に富んだ簡易な構成でありながら、再生周波数帯域の広いスピーカを実現することができる。
【００９０】
＜２．他の実施の形態＞
なお上述の実施の形態においては、本体部３に収納されているスピーカユニット４が上方に前面を向けた状態で取り付けられるようにした場合について述べたが、本発明はこれに限らず、当該スピーカユニット４が下方に前面を向けた状態で取り付けられるようにしても良い。
【００９１】
また上述の実施の形態においては、透明な透明筐体２を用いるようにした場合について述べたが、本発明はこれに限らず、必ずしも透明である必要はなく、所定色の筐体を用いるようにしても良い。
【００９２】
さらに上述の実施の形態においては、透明筐体２と設置面Ｚ１Ｓとの間に形成される密閉空間に物ＯＪ１を置いて展示するようにした場合について述べた。しかしながら、本発明はこれに限らず、物ＯＪ１を展示したときに透明筐体２による密閉空間の内容積が小さくなるためスピーカユニット４からの低域共振周波数ｆ０が上昇することを防止すべく、予め物ＯＪ１の体積分だけ予め大きくした内容積の透明筐体２を用いるようにしても良い。
【００９３】
若しくは、スピーカ装置１の本体部３の表面に摘み（図示せず）を設けておき、透明筐体２による密閉空間に物ＯＪ１を展示したことにより低下した低域共振周波数ｆ０については、当該摘みをユーザに操作させることにより信号処理部１２７（図８）を介して調整し、ユーザ所望の音響特性となるようにしても良い。
【００９４】
この場合、スピーカ装置１は、摘みに対するユーザの操作に応じて、信号処理部１２７の低域成分ＳＡＬに対するレベルや周波数特性等を調整すれば良い。
【００９５】
さらに上述の実施の形態においては、裾に行くに連れて広げられた略雫形状の透明筐体２を用いるようにした場合について述べた。しかしながら、本発明はこれに限らず、下端部が開放されていれば単なる円筒形状、三角錐形状等のその他種々の形状でなる透明筐体２を用いるようにしても良い。
【００９６】
さらに上述の実施の形態においては、筐体としてのキャビネット２、発音体としてのスピーカユニット４によって本発明のスピーカ装置を構成するようにした場合について述べた。しかしながら本発明はこれに限らず、その他種々の構成及び形状でなる筐体および発音体によってスピーカ装置を構成するようにしても良い。
【産業上の利用可能性】
【００９７】
本発明のスピーカ装置は、例えばスピーカ装置単体で用いられる以外にも、テレビ等のオーディオビジュアル機器に組み込まれるスピーカ装置に適用することができる。
【符号の説明】
【００９８】
１……スピーカ装置、２……透明筐体、３……本体部、４……スピーカユニット、５……圧電アクチュエータ、６……ＬＥＤ電球、７……拡散板、１２１……加算器、１２２……ハイパスフィルタ、１２３……ローパスフィルタ、１２４、１２７……信号処理部、１２５、１２８……アンプ。
【図１】
2011223397.tif 000003
【図２】
2011223397.tif 000004
【図３】
2011223397.tif 000005
【図４】
2011223397.tif 000006
【図５】
2011223397.tif 000007
【図６】
2011223397.tif 000008
【図７】
2011223397.tif 000009
【図８】
2011223397.tif 000010
【図９】
2011223397.tif 000011
【図１０】
2011223397.tif 000012
【図１１】
2011223397.tif 000013
【図１２】
2011223397.tif 000014
【図１３】
2011223397.tif 000015
【図１４】
2011223397.tif 000016